(57)【要約】      （修正有）【課題】パッティングマットがかばんと一体化されて非使用時には折り畳み式でパッティングマットを折り畳んでかばんに収納して使用時にはかばんからパッティングマットを簡便に広げて使用することができる携帯用ゴルフ練習機に関する。【解決手段】上面及び一側面が開放された四角ボックス型のケースと、前記ケースの側面開放部に一端が固定されて旋回されながら角度の調節が可能であり、所定部分にホールカップが設けられた傾斜板と、該傾斜板より少なくとも２倍以上の長さとして前記傾斜板の上面に一端が付着されて、使用時に前記ケースの開放された側面を通じて外部に開かれて、保管時に前記ケース内部に折り畳まれて収納されるマットと、前記ケースの側面開放部を開閉する側板と、及び前記ケースの上面開放部を開閉する覆いを含んでなされる。【選択図】図１
2005261949.tif 000002
【特許請求の範囲】
【請求項１】
上面及び一側面が開放された四角ボックス型のケースと、
前記ケースの側面開放部に一端が固定されて旋回されながら角度の調節が可能であり、所定部分にホールカップが設けられた傾斜板と、
前記傾斜板の上面に一端が付着されて、使用時に前記ケースの開放された側面を通じて外部に広げられて、保管時に前記ケースの内部に折り畳まれて収納されるマットと、
前記ケースの側面開放部を開閉する側板と、及び
前記ケースの上面開放部を開閉する覆いを含む携帯用ゴルフ練習機。
【請求項２】
前記マットが上面に付着される少なくとも２個以上の単位板で構成されて、前記マットとともに前記ケースの外部に広げられて前記ケース内部に折り畳まれて収納されるマット支持板をさらに含む請求項１に記載の携帯用ゴルフ練習機。
【請求項３】
前記マット支持板の単位板らは接境部分が前記マットと接着されていないで、最外側の単位板には折り畳み時に前記マットが折られないように折り畳み部分の近接位置に間隔突起らが前記マット側に突出されていることを特徴とする請求項２に記載の携帯用ゴルフ練習機。
【請求項４】
前記傾斜板は一端部が接着テープ及び/または蝶番によって前記ケースの側面開放部と接した底面に旋回可能に固定されることを特徴とする請求項１または２に記載の携帯用ゴルフ練習機。
【請求項５】
前記傾斜板には前記ケースで前記傾斜板の旋回点から遠くなるかまたは近くなりながら前記傾斜板を調整された旋回角度で支持する支持台を具備することを特徴とする請求項４に記載の携帯用ゴルフ練習機。
【請求項６】
前記傾斜板のホールカップはホールに装着されて大きさを調整することができるホール大きさ調整片をさらに具備していることを特徴とする請求項５に記載の携帯用ゴルフ練習機。
【請求項７】
前記覆いは前記マット支持板の単位板らのうち一つであることを特徴とする請求項２に記載の携帯用ゴルフ練習機。
【請求項８】
前記覆いは前記マット支持板と別個のチッピングマット板で構成されることを特徴とする請求項２に記載の携帯用ゴルフ練習機。
【請求項９】
前記側板は前記ケースにその一側端が旋回可能に結合されて、前記側板の他端とこの他端と対応される前記ケースの側面にロック具を設けて前記ロック具で前記ケースにロックされることを特徴とする請求項７または８に記載の携帯用ゴルフ練習機。
【請求項１０】
上面及び一側面が開放された四角ボックス型のケースと、
前記ケースの側面開放部に一端が固定されて旋回されながら角度の調節が可能であり、所定部分にホールカップが設けられた傾斜板と、
前記ケースで前記傾斜板の旋回点から遠くなるかまたは近くなりながら前記傾斜板を調整された角度で支持する支持台と、
前記傾斜板より少なくとも２倍以上の長さで前記傾斜板の上面に一端が付着されて、使用時に前記ケースの開放された側面を通じて外部に広げられて、保管時に前記ケースの内部に折り畳まれて収納されるマットと、
前記マットが上面に付着される少なくとも２個以上の単位板で構成されて、いずれか一つの単位板は前記ケースの上面開放部を閉鎖して、残りの単位板らは前記ケースの内部に収納されるマット支持板と、及び
前記ケースの側面開放部を開閉する側板を含む携帯用ゴルフ練習機。
【請求項１１】
前記ホールカップと対応される前記ケース内部の下方には前記側面開放部側に下向き傾斜になるように設置されて前記ホールカップから落下されたゴルフボールを傾斜によって移動させるボール回収板と、
前記ボール回収板と連結されて前記マット支持板の外郭側に設けられて前記ボール回収板から移動されるゴルフボールをパッティング位置まで案内するボール回収路をさらに具備することを特徴とする請求項１０に記載の携帯用ゴルフ練習機。
【請求項１２】
前記ケースにはゴルフボールを保管するボール保管ボックスと、設置時に水平状態を確認するための水平器をさらに具備することを特徴とする請求項１０に記載の携帯用ゴルフ練習機。
【請求項１３】
前記ケースの上面開放部と接した両内側には覆い役割をする前記単位板が挟まれて案内される案内溝らが対向して形成されていることを特徴とする請求項１０に記載の携帯用ゴルフ練習機。
【請求項１４】
前記マット支持板は一端が前記傾斜板に密着されて前記案内溝らに挟まれて前記上面開放部を閉鎖する第１単位板と、一端が前記第１単位板の他端に密着され、それから折り畳まれる第２単位板と、一端が前記第２単位板の他端に密着されてそれから折り畳まれる第３単位板で構成されることを特徴とする請求項１３に記載の携帯用ゴルフ練習機。
【請求項１５】
前記側板の開放端とそれと対応される前記ケースの側面に係止金具とロック片をそれぞれ固定して、前記側板の開放端を前記ケース側に密着させてロックすることを特徴とする請求項１４に記載の携帯用ゴルフ練習機。
【請求項１６】
上面及び一側面が開放された四角ボックス型のケースと、
前記ケースの側面開放部に一端が固定されて旋回されながら角度の調節が可能であり、所定部分にホールカップが設けられた傾斜板と、
前記ケースで前記傾斜板の旋回点から遠くなるかまたは近くなりながら前記傾斜板を調整された角度で支持する支持台と、
前記傾斜板より少なくとも２倍以上の長さとして前記傾斜板の上面に一端が付着されて、使用時に前記ケースの開放された側面を通じて外部に広げられて、保管時に前記ケースの内部に折り畳まれて収納されるマットと、
前記マットが上面に付着される少なくとも２個以上の単位板で構成されて、前記マットとともに前記ケースの外部に広げられて、前記ケースの内部に折り畳まれて収納されるマット支持板と、
前記ケースの側面開放部を開閉する側板と、及び
前記ケースの上面開放部を開閉する独立された板状体として、チップショットのために一側面には人造芝草が付着されたチッピングマット板を含む携帯用ゴルフ練習機。
【請求項１７】
前記ホールカップを通じて前記傾斜板から落下されたゴルフボールを感知する感知センサーと、該感知センサーの感知信号によって作動して前記ゴルフボールを演習者の打撃位置に移送するボール投擲機をさらに具備することを特徴とする請求項１、１０及び１６のうちいずれか一つに記載の携帯用ゴルフ練習機。
【請求項１８】
前記傾斜板のホールカップの周りに配置される第１感知センサーと前記ホールカップの直下方の前記ケース底面に配置される第２感知センサーでなされた感知部と、該感知部から送信された感知信号らによってホールイン、準ホールイン及び失敗を判断して、該当效果音を出力する音響制御部、及び前記音響制御部の制御信号によって前記效果音を放出するスピーカーを具備する音響発生手段をさらに具備することを特徴とする請求項１、１０及び１６のうちいずれか一つに記載の携帯用ゴルフ練習機。
【請求項１９】
前記音響制御部は、前記第１感知センサーの一番目の感知信号と前記第２感知センサーの二番目の感知信号がゴルフボールがホールカップにホールインされる時間を勘案して設定された時間の間隔内に入力されるとホールインと判断して前記スピーカーからホールイン音響效果を出力するように制御して、
前記第１感知センサーの感知信号が入力された後に前記第２感知センサーの感知信号が設定された時間の間隔内に入力されなければ、準ホールインと判断して前記スピーカーから準ホールイン音響效果を出力するように制御することを特徴とする請求項１８に記載の携帯用ゴルフ練習機。
【発明の詳細な説明】
【技術分野】
【０００１】
本発明はゴルフのパッティング(putting)及びチップショット(chip shot)を練習するためのゴルフ演習装置に関し、特に、パッティングマットがかばんと一体化されて非使用時には折り畳み式でパッティングマットを折ってかばんに収納して使用時には、かばんからパッティングマットを簡便に広げて使用することができるようにすることで携帯運搬及び設置が簡便な携帯用ゴルフ練習機に関する。
【背景技術】
【０００２】
一般的にゴルフの技術は大きくスイング(swing)とパッティング(putting)に区分されるが、パッティングはゴルフ競技において一ホールを締め切る最終のストローク(stroke)として、主にホールカップと近接された距離でゴルフボールをホールカップに入れることで、このパッティング能力によってゴルフの水準や最終スコアに大きい影響を及ぼす。
【０００３】
プロゴルファーやアマチュアゴルファーにおいてパッティングは打球数を減らすことができる重要な変数として作用する。よって、これに対する負担も比例して増加し、さまざまな副作用が発生する。まず、ゴルフボールがホールカップに入って行くことを直接確認しようとする心忙しい心情でパッティングが仕上げされる前に頭をあげてホールカップをみることで、姿勢が崩れてこれによってパター(putter)のヘッド面が目標方向から離れるようになって、ゴルフボールがそれるようになる。さらに、十分なフォロースルー(follow through)が支持されなくて、目標した位置に正確にゴルフボールを送ることができなくなったりする。
【０００４】
このように演習者がパッティングを恐れるかまたは、不安に思うことでイップス(Yips)という身が硬直されて震える強い緊張症状が発生されて、パッティング時にあまり急ぐかまたは、身が固くなって手首や腕が震えたりしてフォロースルー時にたじろぐ動作が出たりする。
【０００５】
このようなヘッドアップ(head-up)や不十分なフォロースルーによってショットパッティングで乱調を見せ始めると、パッティングに対する自信感の不足につながってグリーン(green)攻略のためのアイアンショットやアプローチ時にもボールをホールカップに付けなければならないという強迫観念が生じてショット全般にわたって誤りが誘発されるドミノ現象が発生する。
【０００６】
パッティングは多様な形象のグリーン上でグリーンの状態及び形象による方向設定及びゴルフボールの速度を示す打撃の強さなどを総合的に判断して力よりは精巧さが要求される動作である。このようなパッティング感覚を維持するためには正確な姿勢を身につけるように絶え間ない努力と演習が必要である。
【０００７】
したがって、ゴルファーらは室内でパッティング練習機を利用して随時にパッティング演習をしている。しかし、通常のパッティング練習機は大きくて構造が複雑で高価だから、設置が易しくなくて一応設置すると移動が自由ではなかった。このような制約のためにパッティング練習機が設置された場所のみでパッティング演習ができない短所があった。また、このような設置型パッティング練習機は空間をたくさん占有して空間活用度を落として、家庭や事務室に設置すると移動時に邪魔になるだけでなく、狭い場所では設置が困る問題点があった。
【０００８】
そのため、さらに簡単な形態、すなわち底に敷く長いマットとホールカップのみを取り揃えたパッティング練習機が発売開始されたが、これも広げておいて使った後に巻いておくことができる程度であって、容易に携帯して運ぶことができなくて、家や勤務地を移動しながら共に使用するには制約があった。
【発明の開示】
【発明が解決しようとする課題】
【０００９】
したがって、本発明の目的は上述した諸欠点らを解消するために案出したものであり、パッティングマットがかばんと一体化されて非使用時には折り畳み式でパッティングマットを折り畳んでかばんに収納して使用時にはかばんからパッティングマットを簡便に広げて使用することができるようにすることで、携帯運搬及び設置が簡便な携帯用ゴルフ練習機を提供することにある。
【課題を解決するための手段】
【００１０】
前記目的を達成するための本発明の一実施例によると、上面及び一側面が開放された四角ボックス型のケースと、該ケースの側面開放部に一端が固定されて旋回されながら角度の調節が可能であり、所定部分にホールカップが設けられた傾斜板と、該傾斜板より少なくとも２倍以上の長さで前記傾斜板の上面に一端が付着されて、使用時に前記ケースの開放された側面を通じて外部に広げられて、保管時に前記ケースの内部に折り畳まれて収納されるマットと、前記ケースの側面開放部を開閉する側板と、及び前記ケースの上面開放部を開閉する覆いと、を含む携帯用ゴルフ練習機が提供される。
【００１１】
前記目的を達成するための本発明の他の実施例によると、上面及び一側面が開放された四角ボックス型のケースと、該ケースの側面開放部に一端が固定されて旋回されながら角度の調節が可能であり、所定部分にホールカップが設けられた傾斜板と、前記ケースで前記傾斜板の旋回点から遠くなるかまたは近くなりながら、前記傾斜板を調整された角度で支持する支持台と、前記傾斜板より少なくとも２倍以上の長さで前記傾斜板の上面に一端が付着されて、使用時に前記ケースの開放された側面を通じて外部に広げられて、保管時に前記ケース内部に折り畳まれて収納されるマットと、該マットが上面に付着されて、少なくとも２個以上の単位板で構成されていずれか一つの単位板は前記ケースの上面開放部を閉鎖して、残りの単位板らは前記ケース内部に収納されるマット支持板と、及び前記ケースの側面開放部を開閉する側板を含む携帯用ゴルフ練習機が提供される。
【００１２】
前記目的を達成するための本発明のまた他の実施例によると、上面及び一側面が開放された四角ボックス型のケースと、該ケースの側面開放部に一端が固定されて旋回されながら角度の調節が可能であり、所定部分にホールカップが設けられた傾斜板と、前記ケースで前記傾斜板の旋回点から遠くなるか、または近くなりながら前記傾斜板を調整された角度で支持する支持台と、前記傾斜板より少なくとも２倍以上の長さで前記傾斜板の上面に一端が付着されて、使用時に前記ケースの開放された側面を通じて外部に広げられて、保管時に前記ケース内部に折り畳まれて収納されるマットと、該マットが上面に付着される少なくとも２個以上の単位板で構成されて、前記マットとともに前記ケースの外部に広げられて前記ケースの内部に折り畳まれて収納されるマット支持板と、前記ケースの側面開放部を開閉する側板と、及び前記ケースの上面開放部を開閉する独立された板状体であり、チップショットのために一側面には人造芝草が付着されたチッピングマット板と、を含む携帯用ゴルフ練習機が提供される。
【発明の効果】
【００１３】
本発明による携帯用ゴルフ練習機はパッティングマットがかばんと一体化されて非使用時には折り畳み式でかばん内に折り畳まれてかばんに収納され、使用時には簡便に広げて使用することができて、携帯移動が簡便で出張や旅行などに持って通いながらどこでもパッティング演習が可能である。特に、本発明は容易に広げて折り畳むことができてより迅速で簡便に設置及び収納が可能である。
【００１４】
また、本ゴルフ練習機は使わない時はかばんの形態で折り畳んで嵩を最小化することができるので、保管が易しくて空間を占めなくて、非使用時に邪魔になることを防止することができるし、狭い空間でも使用が可能である。
【００１５】
さらに、本発明には二重ホールカップを適用して難易度を調節することができるだけでなく、ボールがパッティング位置に戻ってくるボール回収機能があって、使用の便利性がより増進される效果がある。また、ホールカップの傾斜度を調節することができて、多様な距離でのパッティング感覚を習うことができる。それだけでなく、ボール保管ボックスを内部に具備することによって、ボールを常に保管して通うことができるし、水平器が内蔵されていて本ゴルフ練習機が底に水平で設置されたか否かを確認することができる。さらに、ケースから旋回開閉される右側板のロック具を金属材を使用して外部に装置することで飾り性を高めるか、またはケース内部に構成することで単純できれいな感じを与えることができる。
【００１６】
また、本発明はケースの覆いをマット支持板と別に製作してチッピングマットの機能も提供することで、パッティング演習とともにチップショットの演習も共にすることができる。
【００１７】
さらに、本ゴルフ練習機には音響発生手段を内蔵して演習者が打ったボールがホールインされた場合に歓声を、そして準ホールインされた場合に惜しさを表示する音響を放出することで、パッティングやチップショットの結果を容易に確認することができるだけでなく、演習者にさらに楽しさを与える效果がある。
【発明を実施するための最良の形態】
【００１８】
以下では添付した図面らを参照して本発明の望ましい実施例に関して詳しく説明する。
【００１９】
図１は本発明による携帯用ゴルフ練習機を広げた状態を示す斜視図であり、図２は図１の状態でゴルフ練習機を折り畳んだ状態を示す斜視図である。また、図３は図１の分離斜視図である。
【００２０】
本ゴルフ練習機は一般的なゴルフ練習機のマット長さを収容することができるようにマット１００が３段で折り畳まれてケース２００内に収納される構造を有する。よって、マット１００が広げられた時にはパッティングするのに十分な長さを有する。具体的に説明すると、本ゴルフ練習機はマット１００とそれを支持するマット支持板１１０が共に折り畳まれて収納されるケース２００を具備している。ケース２００は図１で見る時、上面部と右側部が開閉される四角ボックス型のかばんで構成されて、その内部にはボール回収板３００が弾性片３１０によって傾くように固定されている。ボール回収板３００はゴルフボール４００が排出される部分側の底面が接着等の方法でケース２００の右側開放部２０２側のケース底板２１０に固定されているし、ケース左側板２２０と接した部分は下部で弾性片３１０で弾性支持されて、ケース底面から一定間隔が離隔されながらケース左側板２２０の内側に突出した係止突起２２２にボール回収板３００の端部がかかって規制されている。このような構造によってボール回収板３００はケース２００の左側から右側に行くほど下向き傾斜になって、マット１００がケース２００の内部に折り畳まれると、弾性片３１０が圧縮されながらマット１００の収納空間を設けるようになる。このボール回収板３００の傾斜はマット１００が広げられる方向に下向き傾斜されてホールカップ５１０からボール回収板３００にゴルフボール４００が落ちると、傾斜によって自然にパッティング位置までころがって行くようにする。また、ボール回収板３００は後述するホールカップ５１０と対面している部分にホールカップ５１０から落ちるゴルフボール４００による衝撃を緩和するためにマット３０２が付着されている。
【００２１】
ケース２００には右側開放部２０２と近接した位置に傾斜板５００が旋回可能に結合されている。この傾斜板５００は右側開放部２０２と近接したケース２００の底面に接着テープ５２０に旋回可能に結合されて、図示されたように接着テープ５２０の下に蝶番５２２らを利用してケース底板２１０に傾斜板５００を旋回されるように固定するのが望ましい。ケース２００と傾斜板５００の結合は接着テープ５２０と蝶番５２２らを同時に利用するか、またはいずれか一つのみを使用して具現することができる。傾斜板５００を調整された角度で支持するためにケース２００の前後板２３０、２４０には長さ方向に沿って対向する位置に角度調節溝ら２３２、２４２が一定間隔ごとに形成されていて、この角度調節溝ら２３２、２４２には支持台５３０が挟まれて傾斜板５００の底面を支持するようになる。これに対するより詳細な説明は図４で後述する。
【００２２】
傾斜板５００の表面にはマット１００が付着されていて、その端部にはホールカップ５１０が設けられている。ホールカップ５１０は前述したボール回収板３００から一定間隔離隔された上部側に位置して、ホールカップ５１０と接した端部は一定高さで折曲されてパッティングされたゴルフボール４００が強ければ、ホールカップ５１０に入らないで跳ね出るようにあご５０２になっている。ホールカップ５１０はまた二重で大きさが調整されるようにホール大きさ調整片５１２を具備している。このホール大きさ調整片５１２をホール５１４に差し込むと小さなホールカップになって、ホール５１４でとり除けば大きいホールカップになって使用者が実力によって難易度を調整することができる。
【００２３】
ケース２００の底にはゴルフボール４００を保管することができる保管ボックス２５０が設けられているし、それと接して水平器２６０が配置されている。この水平器２６０を利用してこのゴルフ練習機を広げて使用する時に設置場所の水平度を点検することができる。また、ケース２００にはパター(図示せず)を据え置きさせておくことができるパター据え置き台２２４が具備されている。
【００２４】
傾斜板５００に一端が付着されたマット１００の底面には３個の単位板１２０、１３０、１４０でなされたマット支持板１１０が連続的に付着されているし、ケース底板２１０と接した第１単位板１２０は折り畳み時にケース２００の上板になって、残り２個の第２、第３単位板ら１３０、１４０は折り畳み時に第１単位板１２０の内側に畳まれてケース２００の内部に収納されるようになる。この第１ないし第３単位板ら１２０、１３０、１４０の一側端に沿って前述したボール回収板３００の誘導路３０４と連結されるボール回収路ら１２２、１３２、１４２が形成されていて誘導路３０４で第３単位板１４０の端支点、すなわち打撃位置の近所までゴルフボール４００の移動を案内するようになる。このように、マット１００は傾斜板５００と第１単位板１２０、第２単位板１３０及び第３単位板１４０の表面に付着されてマット１００を広げた時に傾斜板５００と第１単位板１２０、第２単位板１３０及び第３単位板１４０は密着されて連結される。この時、傾斜板５００と第１ないし第３単位板ら１２０、１３０、１４０の接した連結部分の近所にはマット１００が接着されないで一定区間離れている。これはマット１００を折る時マット１００が付着された第１ないし第３単位板１２０、１３０、１４０がよく畳まれるようにし、それと共に折る過程で板らの境界部分でマット１００がしわくちゃにならないようにする。特に、一番先に折るようになる第３単位板１４０には第２単位板１３０と接した部分に間隔突起１４４らが両側に突出して折り畳み時に第２単位板１３０と第３単位板１４０の間隔を離隔させて第２、第３単位板１３０、１４０に付着されて共に折られるマット１００がそれらの境界部分で折られないようにする。さらに、マット１００に付着された第１単位板１２０の裏面(広げた時の底面)は折り畳み時にケース２００に覆わせてかばんの表面になるので、ケース２００の他の面と同一な柄及び色を有するようにする。例えば、このゴルフ練習機のケース２００表面を木柄で製作するとしたら、第１単位板１２０の裏面にもそれと等しい木柄で飾ってゴルフ練習機を折ってかばんになった場合に一体感を有するようにする。勿論、ケース２００にはかばんを易しく持ち運べるように取っ手２７０が設けられている。
【００２５】
マット１００の折り畳み時に第３、第２単位板１４０、１３０が順に畳まれた後、第１単位板１２０はケース２００の上部開放部２０４の両側縁に形成された案内溝ら２３４、２４４に沿ってその両側縁がスライディングされながら挟まれてケース左側板２２０の左側差込溝２２６に挟まれるようになって、その状態で開放された右側板２８０を閉めて閉鎖するようになる。このために、右側板２８０はケース２００で旋回可能に一側端が蝶番(図示せず)でケース２００と結合されているし、その他側端は係止金具２８２が固定されている。この係止金具２８２と対応されるケース２００にはロック片２３６が固定されて右側板２８０を旋回させてケース２００の右側開放部２０２を閉鎖させた後にロック片２３６を係止金具２８２にかけてロックさせると、マット２００の折り畳み収納が完了するようになる。このようにロック片２３６と係止金具２８２でなされたロック具は本実施例のように金属材質で製作して外部飾りで利用することができるし、また、一方ではその構造をすこし変更して内部に設置してシンプルさを与える場合もある。右側板２８０には第１単位板１２０の見合わせる端が一定部分挟まれて固定される右側差込溝２８４が形成されている。
【００２６】
以上説明したマット１００を支持するマット支持板１１０は第１単位板１２０がかばんケースの覆い役割をするが、他の単位板、例えば第３単位板１４０が覆い役割をすることもでき、マット支持板１１０を完全に略して、覆いを別に構成してかばんの上面開放部を閉鎖することもできる。さらに、マット支持板１１０はここに例示した単位板ら３個だけでなく２個または４個以上でも具現が可能であり、これに本発明には２個以上の単位板らをマットの下に付着させた構成をすべて含む。
【００２７】
図４は本発明で傾斜板の角度調節方法を説明するための説明図である。
【００２８】
図４に示すように、傾斜板５００の一端はケース２００の右側開放部側の底板２１０に蝶番５２２によって旋回可能に固定されている。これと共に、調節された角度で傾斜板５００を支持するためにケース２００の両側にはマット１００の長さ方向に角度調節溝ら２３２、２４２が対向して形成されていて、この角度調節溝ら２３２、２４２の該当位置に挟んで傾斜板５００の底面を支持することで調節された角度で傾斜板５００を位置させる支持台５３０が設けられている。特に、角度調節溝２３２、２４２の下側には傾斜板５００の角度調整位置ごとの該当パッティング距離が表示されていて使用者が容易にパッティング距離によって傾斜板５００の角度をセッティングすることができるようになっている。すなわち、傾斜板５００の角度が何度である時にパッティング距離何メートルでパッティングする效果をもたらすかを算出して、該当傾斜角によるパッティング距離表示がメートル単位になっている。例えば、５mで表示された両側の角度調節溝ら２３２、２４２に支持台５３０の両端を挟んで傾斜板５００を据え置きさせると、傾斜板５００はパッティング距離５mに該当する傾斜角の角度でセッティングされる。勿論、パッティング距離が大きくなるほど傾斜板５００の傾斜は急になる。このように、本発明はパッティング距離によって傾斜板５００の角度を調整した後にパッティング距離によるパッティング演習を遂行することができる。
【００２９】
図５は本発明でボール回収原理を説明するための説明図である。
【００３０】
マット(図示せず)の上でパッティングされたゴルフボール４００がホールカップ５１０に入って行くと、ホールカップ５１０を通じてボール回収板３００上に落ちるようになる。このように落ちたゴルフボール４００は回収板３００の傾斜面に沿って滑ってマットの第１ないし第３単位板ら１２０、１３０、１４０の側方に設けられた回収路１２２、１３２、１４２に沿って移動してマットの端に位置したパッティング近接位置まで運搬される。演習者はこのように回収されてパッティング位置に運搬されたゴルフボール４００をつまんでパッティング位置においてパッティングすると良い。このように、ボール回収を位置差による移動方式で具現することができるし、他の方法で器具的に作動するボール回収装置を使用して具現することができる。後者の電子的感応による機械回収方式に対しては図１０の他の実施例で説明する。
【００３１】
図６ないし図９は本発明の携帯用ゴルフ練習機を広げて使った後、折ってかばん内に収納する過程を順次に示す図面らである。
【００３２】
本ゴルフ練習機を広げて使用してから、他の場所に運ぶためには折り畳んでかばんに収納すると簡単に携帯が可能であるが、これのためには先ず図６に示すように広げられたマット１００の最外側マット部分から順に折り畳むと良い。すなわち、第３単位板１４０を折り畳むと第３単位板１４０は第３単位板１４０に接着されたマット１００とともに第２単位板１３０側に折り畳まれる。この時、第３単位板１４０に形成された間隔突起１４４らは図７でのように第２単位板１３０と一定間隔で離隔させた状態でマット１００が折り畳まれるようにしてマット１００は第２単位板１３０と第３単位板１４０の接境部分で折られずに曲面を描きながら折り畳まれるようになる。このように第３単位板１４０を第２単位板１３０方に折って重ねた後、図８でのように折り畳まれている第２、第３単位板１３０、１４０をともにに第１単位板１２０側に折る。そしてから、再び折り畳まれた第１、第２、第３単位板１２０、１３０、１４０をケース２００内側に折り込むと、図９でのように第１単位板１２０の底面(裏面)が外側に出てケース２００の開放された上部面をなすようになる。具体的には、第１単位板１２０の両側縁をケース２００の両側案内溝らに挟んでスライディングさせて第１単位板１２０が完全に進入されると、第１単位板１２０はケース２００の上面開放部を完全に閉鎖するようになる。そしてから、右側板２８０を旋回させてケース２００の右側開放部を閉鎖した後に係止金具にロック片をかけてロックさせると、本ゴルフ練習機のマット１００は完全に収納されてかばんの形態になる。このように、本ゴルフ練習機を折り込んでかばんの形態にした状態で使用者はかばんの取っ手を取って携帯するかまたは運ぶと良い。
【００３３】
次に、前述した図面らを参照して本ゴルフ練習機の使用方法に対して詳しく説明する。
【００３４】
本ゴルフ練習機は運ぶかまたは保管する時はかばんの形態で折った状態で使用する。そして、パッティング演習をしようとする時にはかばんの形態で先ずロック片２３６を解除して右側板２８０を旋回させてケース２００の右側面を開放させた後に、上部に挟まれてケース２００の上部版(覆い)をなしている第１単位板１２０を右側開放部２０２方にスライディングさせてケース２００から分離させる。そうすると、折り畳まれた第１ないし第３単位板ら１２０、１３０、１４０を広げることができる状態になって、この状態で傾斜板５００で第１単位板１２０を広げて建物底に安着させた後、第１単位板１２０で第２単位板１３０を広げて底に安着させて、再び第２単位板１３０から第３単位板１４０を広げて底に安着させると、傾斜板５００から始めて第１ないし第３単位板ら１２０、１３０、１４０に接着されたマット１００が完全にひろがって使用することができる状態で建物底に安着されるようになる。この状態で、第３単位板１４０のパッティング位置にゴルフボール４００を乗せてホールカップ５１０を向けてパッティング演習をするとよい。
【００３５】
演習が終わると上の広げる時と反対の手順にして、折った後ロック片２３６をロックざせると、再びかばんの形態になって、この状態で保管するかまたは取っ手２７０を握って運ぶと良い。
【００３６】
図１０は本発明による携帯用ゴルフ練習機の他の実施例であり、電子感応式ボール回収装置が適用されたゴルフ練習機としてここに図示されない部分は前の実施例と等しいので前の実施例で変更された部分のみを右から見て部分的に図示したものである。特に、この図面ではボール供給構造をより確かに示すために傾斜板などを除いてケースの底部を中心に示した。また、図１１及び図１２は図１０でボール投擲機の構造を詳細に示す斜視図らであり、図１１はボール投擲機が作動する前の状態を示して、図１２はボール投擲機が作動してボールを打撃している状態を示している。
【００３７】
ボール回収は前の実施例で説明したボール回収板の傾斜構造(位置差)によるボールの自然的な移動を採択する代りに図１０に例示したようにセンサー６１０aでゴルフボールを感知してボール投擲機６２０aでゴルフボール４００aを打撃してパッティング位置に行かせる器具的なメカニズムを採用することができる。これに対してより詳しく説明すると、ボール誘導部６３０aはホールカップの下に位置して傾斜構造によってホールカップから落ちたゴルフボール４００aをボール誘導溝６３２aに誘導する。ボール誘導溝６３２aは図示したように感知センサー６１０aに向けてゴルフボール４００aを移動させることができる傾斜溝の構造を有する。このボール誘導溝６３２aによって回収されたゴルフボール４００aは図１１に示すように感知センサー６１０aに接触し、そうするとボール投擲機６２０aが作動して図１２でのように打撃板６２２aが瞬間的に突出しながらゴルフボール４００aを打撃する。このように打撃されたゴルフボール４００aはマットの長さ方向に沿って横側に設けられた回収路に沿ってパッティング位置にころがって行くようになる。ここで、感知センサー６１０aとしてはボールの圧力によって作動する圧力センサーが好適であり、ボール投擲機６２０aは電気の力でモーターやソレノイドなどの器具を作動させてゴルフボール４００aを打撃することができる構造で製作されることが望ましい。このボール投擲機６２０aの電源としては乾電池や建物内の電源が使われることができる。
【００３８】
説明しなかった図面番号２５０aはボール保管ボックスを、そして図面番号２６０aは水平器を示す。
【００３９】
図１３は本発明による携帯用ゴルフ練習機のまた他の実施例を示す折った状態の斜視図であり、図１４は図１３のA-A線による断面図である。図１５は図１３でマットを広げる状態を示す斜視図である。また、図１６は本携帯用ゴルフ練習機を完全に広げてパッティング演習のための状態で配置した斜視図であり、図１７は本携帯用ゴルフ練習機を完全に広げてチップショット演習のための状態で配置した斜視図である。
【００４０】
本実施例は第１実施例とほとんど等しいかまたは類似であり、したがって同一な部分に対しては説明を略するようにして、異なる部分のみをこれから詳細に説明する。
【００４１】
本実施例ではマット１００bを支持するマット支持板１１０bが４個の第１ないし第４単位板ら１２０b、１３０b、１４０b、１５０bで構成されている。マット１００bは傾斜板５００bと第１ないし第４単位板ら１２０b、１３０b、１４０b、１５０bの表面に連続的に付着されて、傾斜板５００bから始まって第１ないし第４単位板ら１２０b、１３０b、１４０b、１５０bを順に連結する役割をする。傾斜板５００bと第１ないし第４単位板ら１２０b、１３０b、１４０b、１５０bにマット１００bを付着時に各板らの境界部分にはマット１００bを接着しないことが良い。なぜなら、マット１００bをかばんケース２００b内に折り込む時は第４単位板１５０b、第３単位板１４０b、第２単位板１３０b、第１単位板１２０bの手順で折り込むようになるが、この時各単位板ら１２０b、１３０b、１４０b、１５０bの境界部分でマット１００bが折れることを防止するためである。このように単位板ら１２０b、１３０b、１４０b、１５０bはマット１００bを付着して巻かれてケース２００bの内部に入って行くので、一番先に折り畳まれて最内側に位置する第４単位板１５０bが長さが最も小さくて、第１単位板１２０bにいくほど長さが大きくなることが望ましい。勿論、マット１００bを広げた時に等しい幅でマット１００bを支持するために第１ないし第４単位板１２０b、１３０b、１４０b、１５０bの幅はすべて等しい。特に、マット１００bは人造芝草も使われることができるが、パッティング演習用としてはカーペット型マットが望ましくて、より望ましくは、ベルベットカーベット型マットが良い。
【００４２】
本実施例ではマット支持板１１０bの第１単位板１２０bがケース２００bの上面開放部を開閉する覆い役割をする第１実施例とは異なり、マット支持板１１０bと分離して独立的に設けられたチッピングマット板７００bが覆いとして機能する。このように、チッピングマット板７００bをさらに具備することによってパッティング(putting)演習だけでなく、チップショット(chip shot)演習も本ゴルフ練習機で共にすることができる。チッピングマット板７００bは図１６に示すように、その一面に人造芝草７１０bを付着してチップショット演習時にフィールド(field)と同じ感じを提供する。チッピングマット板７００bは図１６に示すようにマット支持板１１０bの第４単位板１５０bの端部に密着させて連結してパッティング演習をするか、または図１７でのように第４単位板１５０bから一定距離離隔させて配置してチップショット演習をすることができる。チップショット演習をする時は第４単位板１５０bから離隔された距離を調整しながらゴルフボール４００bがホール５１４bと近い時と遠い時のチップショット感覚を習うことができる。
【００４３】
本ゴルフ練習機でマット支持板１１０bの両側にはボール投擲機６２０bでゴルフボール４００bを打撃位置に行かせる時にゴルフボール４００bがマット支持板１１０bの回収路から離脱しないようにマット支持板１１０bの両側には離脱防止あごらが突出されている。この離脱防止あごらはマット支持板１１０b上に付着したマット１００bの高さ(厚さ)を考慮してマットの高さより少し高くする。例えば、マット高さが５mmなら離脱防止あごらは６mm以上であってこそ、マット１００b上に突出してあごの役割をして、望ましくは離脱を效果的に防止するためにはゴルフボール４００bの高さまで考慮してマット１００bの高さより少なくても３mm程度高くした方が良い。一方、チッピングマット板７００bのあごの高さは人造芝草７１０bの高さより低くする。これはチッピングマット板７００bをマット支持板１１０bと連結してパッティング演習をする時にチッピングマット板７００bの上でパッティングしたゴルフボール４００bがあごにかからないようにするためである。チッピングマット板７００bはあごがなくても構わなくて、しかし、人造芝草７１０bより低くあごを与えることで人造芝草７１０bの付着位置を正確にして人造芝草７１０bがチッピングマット板７００bに安定的に支持されるようにすることが望ましい。
【００４４】
本実施例ではまたバラの木またはクルミの木ケース２００bの美麗な木柄の感じをそのままいかすために第１実施例でのようにケースの外部に金属材のロック具(係止金具とロック片)を付着する代りに解除ボタン２９２bを除いたすべてのロック具の構成部品をケース２００bの内部に装置して外部に露出しないようにしている。これに対する詳細な説明は図１８でさらに詳細に後述する。
【００４５】
図１８は図１３に示す本ゴルフ練習機で、ケースで開閉される右側板をロックするロック具部分を詳細に示す図面である。本実施例では係止金具とロック片に該当する構成部品を単純化小型化させてケースの内部に装置して外部にはケースと同一材質の木材ボタンのみが見えるようにして構成する。
【００４６】
図１８に示すように、輪の形態の係止金具２９４bをケース２００bの右側開放部の側面に突出させて、この係止金具２９４bと対面する右側板２８０bの対応部には係止金具２９４bが挿入される進入溝２９６bが形成されているし、この進入溝２９６bの内部には係止金具２９４bを把持するロック片２９８bが装置されている。よって、右側板２８０bを旋回させてケース２００bの右側開放部を閉鎖させると、係止金具２９４bは自然的に進入溝２９６bの内部に進入されて位置され、この状態でロック片２９８bを下降させて掛けがね形態の係止金具２９４bにかければロックされる。このようなロック及び解除はケース２００bの右側板２８０bの表面に設けられた解除ボタン２９２bによってなされる。
【００４７】
すなわち、ロック片２９８bは右側板２８０bの外部に露出する解除ボタン２９２bと連結されて解除ボタン２９２bを押すとロック片２９８bが解除されるようになる。ロック機能の解除時に解除ボタン２９２bは右側板２８０bの表面に突出するようになって、ロック時には右側板２８０bの表面と同一面をなすように進入されるようになる。よって、突出された解除ボタン２９２bを再び押すと、解除ボタン２９２bが入って行ってかかりながらロック片２９８bが係止金具２９４bを把持して、右側板２８０bはケース２００bにロックされる。
【００４８】
図１９は図１３ないし図１７に示す本発明で、音響発生手段の構成を示す部分斜視図であり、図２０は図１９のB-B線による断面図である。
【００４９】
本発明のゴルフ練習機はゴルフボールがホールカップにホールイン(holein)したか否かを感知して、ホールイン状態を使用者に知らせると同時に興趣を鼓吹させる音声や音楽(以下、音響と称する。)を発生する音響発生手段を設けている。
【００５０】
音響発生手段はパッティングやチップショットしたゴルフボール４００bがホールカップ５１０bにホールインされたか否かを感知するための感知部を具備している。この感知部８１０bは傾斜板５００bのホールカップ５１０bの周りに配置された第１感知センサー８１２bと、ホールカップ５１０bの直下方に該当するケース２００bの底面に配置された第２感知センサー８１４bでなされている。特に、第１感知センサー８１２bは傾斜板５００bのホールカップ５１０bの周辺に沿って弧形または環形で構成されて、第２感知センサー８１４bは円形で構成されることが望ましい。また、第１及び第２感知センサー８１２b、８１４bはゴルフボール４００bがその上を通り過ぎる時に発生する圧力によって作動する圧力センサーで構成することが望ましい。
【００５１】
第１感知センサー８１２bはその信号線８２２bが傾斜板５００bに埋設されて傾斜板５００bとケース２００bの底面が会う境界部を経ってケース２００bの底面に埋設されて音響制御部８３０bに連結される。第２感知センサー８１４bもケース２００bの底面にその信号線８２４bが埋設されて音響制御部８３０bに連結される。音響制御部８３０bは電源(図示せず)、電源をオン/オフ(ON/OFF)する電源スイッチ(図示せず)、音響を出力するスピーカー(図示せず)などが設けられている。音響制御部８３０bに供給される電源としてはバッテリーが望ましくて、バッテリーのうちでも装着及び交換が容易な乾電池が良い。スピーカーは音響制御部８３０bに一体で構成することもでき、一方で音響制御部８３０bから電線で連結してケース２００bのどの部分にも固定させることもできる。
【００５２】
以上説明した音響発生手段の動作に対して説明すると次のようである。
【００５３】
打撃されたゴルフボール４００bはホールインされるか、ホールカップ５１０bの近くに行ったがホールインされなかった準ホールインや、それともホールカップ５１０bの近所にも行くことができなかった失敗の三つの結果に区分されることができるし、このような三つの結果による音響出力は次のようである。
【００５４】
１)ホールインされた場合
パッティングやチップショットによって打撃されたゴルフボール４００bが第１感知センサー８１２bを通過してホールカップ５１０bにホールインされてケース２００bの底面に装置された第２感知センサー８１４b上に落ちると、第１感知センサー８１２bと第２感知センサー８１４bは少しの時間差を置いて音響制御部８３０bにそれらの感知信号らを順次に送るようになる。よって、音響制御部８３０bは一定時間、望ましくは０．５秒以内に２番目の感知信号が入ればホールインとして判断し、それに相応する音響をスピーカーを通じて出力する。この時、出力される音響としては、お祝いの歌や"ホールイン"という音声、拍手の音または歓声などの多様なお祝いメッセージを載せた音響がすべて使われることができる。
【００５５】
２)準ホールインされた場合
準ホールイン状態はホールカップ５１０bの近所に配置された第１感知センサー８１２bのみを接触した状態であり、例えばホールカップ５１０bの近所を通過したか、それともホールカップ５１０bに入って行ってから跳ね出る場合を挙げることができる。そのような場合、ゴルフボール４００bは第１感知センサー８１２bによって感知されるが、ホールカップ５１０bを通過してホールの下のケース２００b底面に位置した第２感知センサー８１４bには到逹することができなくて、第２感知センサー８１４bでは感知されない。よって、結果的に第１感知センサー８１２bの一番目の感知信号は音響制御部８３０bに送信されるが、第２感知センサー８１４bの二番目の感知信号はなくなる。音響制御部８３０bは第１感知センサー８１２bの一番目の感知信号が入った後、設定された時間が０．５秒なら、一番目の感知信号から０．５秒内に第２感知センサー８１４bの信号が入って来なければ、準ホールインであると判断してそれに相応する音響をスピーカーに出力する。準ホールイン音響としては、例えば惜しさを示す音などになることができる。
【００５６】
３)失敗である場合
パッティングやチップショットしたが、ホールの近くに行くことができなかった場合に、第１感知センサー８１２bと第２感知センサー８１４bはすべて動作しなくなる。よって、音響制御部８３０bには第１感知センサー８１２bと第２感知センサー８１４bから感知信号らが送信されないで、その結果、スピーカーにはどのような音響も出力されなくなる。すなわち、パッティングやチップショットをしたのにどのような音も出力されないで器機で反応がなければ、そのパッティングまたはチップショットは失敗であることである。
【００５７】
ここで開示される実施例はさまざまな実施可能な例の中で当業者の理解を助けるために最も望ましい例を選定して提示したものであるだけで、本発明の技術的思想が必ずこの実施例のみによって限定されるかまたは制限されるものではなくて、本発明の技術的思想を脱しない範囲内で多様な変化と変更が可能であることはもちろん、均等な他の実施例が可能である。
【図面の簡単な説明】
【００５８】
【図１】本発明による携帯用ゴルフ練習機を広げた状態を示す斜視図である。
【図２】図１の状態でゴルフ練習機を折った状態を示す斜視図である。
【図３】図１の分離斜視図である。
【図４】本発明で傾斜板の角度調節方法を説明するための説明図である。
【図５】本発明でボール回収原理を説明するための説明図である。
【図６】本発明の携帯用ゴルフ練習機を折ってかばん内に収納する過程を順次に示す図面である。
【図７】本発明の携帯用ゴルフ練習機を折ってかばん内に収納する過程を順次に示す図面である。
【図８】本発明の携帯用ゴルフ練習機を折ってかばん内に収納する過程を順次に示す図面である。
【図９】本発明の携帯用ゴルフ練習機を折ってかばん内に収納する過程を順次に示す図面である。
【図１０】本発明による携帯用ゴルフ練習機の他の実施例を示す図面である。
【図１１】図１０でボール投擲機が作動する前の状態を示す斜視図である。
【図１２】図１０でボール投擲機が作動してボールを打撃している状態を示す斜視図である。
【図１３】本発明による携帯用ゴルフ練習機のまた他の実施例を示す折った状態の斜視図である。
【図１４】図１３のA-A線による断面図である。
【図１５】図１３でマットを広げる状態を示す斜視図である。
【図１６】本携帯用ゴルフ練習機を完全に広げてパッティング演習のための状態で配置した斜視図である。
【図１７】本携帯用ゴルフ練習機を完全に広げてチップショット演習のための状態で配置した斜視図である。
【図１８】図１３に示す本ゴルフ練習機で、ケースで開閉される右側板をロックするロック具部分を詳細に示す図面である。
【図１９】図１３ないし図１７に示す本発明で音響発生手段の構成を示す部分斜視図である。
【図２０】図１９のB-B線による断面図である。
【符号の説明】
【００５９】
１００、１００a、１００b  マット
１１０、１１０a、１１０b  マット支持板
１２０、１３０、１４０  単位板
１２２、１３２、１４２  回収路
２００、２００a、２００b  ケース
２０２  右側開放部
２１０  底板
２２０  左側板
２２２  係止突起
２２４  パター据え置き台
２２６  差込溝
２３０  前面板
２３２  角度調節溝
２３４  案内溝
２３６  ロック片
２４０  後面板
２４２  角度調節溝
２４４  案内溝
２５０  ボール保管ボックス
２６０  水平器
２８０  右側板
２８２  係止金具
２８４  差込溝
３００  ボール回収板
３０２  マット
３０４  誘導路
３１０  弾性片
４００、４００a、４００b  ゴルフボール
５００、５００a、５００b  傾斜板
５０２  あご
５１０  ホールカップ
５１２  ホール大きさ調整片
５１４  ホール
５２０  接着テープ
５２２  蝶番
５３０  支持台
６１０  感知センサー
６２０  ボール投擲機
６３０  ボール誘導部
６３２  誘導溝
７００b  チッピングマット板
８１０b  感知部
８３０b  音響制御部
【図１】
2005261949.tif 000003
【図２】
2005261949.tif 000004
【図３】
2005261949.tif 000005
【図４】
2005261949.tif 000006
【図５】
2005261949.tif 000007
【図６】
2005261949.tif 000008
【図７】
2005261949.tif 000009
【図８】
2005261949.tif 000010
【図９】
2005261949.tif 000011
【図１０】
2005261949.tif 000012
【図１１】
2005261949.tif 000013
【図１２】
2005261949.tif 000014
【図１３】
2005261949.tif 000015
【図１４】
2005261949.tif 000016
【図１５】
2005261949.tif 000017
【図１６】
2005261949.tif 000018
【図１７】
2005261949.tif 000019
【図１８】
2005261949.tif 000020
【図１９】
2005261949.tif 000021
【図２０】
2005261949.tif 000022